(57)【要約】【課題】タイムシフト再生中のライブ放送を見逃してしまうことを低減する技術を提供する。【解決手段】  タイムシフト録画中にタイムシフト再生を開始すると（Ｓ１１）、タイムシフト処理部５０はタイムシフト再生を開始したライブ放送位置を見逃しライブ開始位置候補として保存する（Ｓ１２）。タイムシフト再生が停止されると（Ｓ１３）、ユーザは操作手段２７等を操作して、ライブ放送に戻るか見逃しライブ開始位置候補からタイムシフト再生をするかを選択する（Ｓ１４）。タイムシフト再生が選択されると（Ｓ１４のＹ）、タイムシフト処理部５０は、見逃しライブ開始位置候補からタイムシフト再生を開始する（Ｓ１６）。そして、見逃しライブ開始位置候補からの再生を停止してライブ放送に戻ると（Ｓ１７）、タイムシフト処理部５０は、見逃しライブ開始位置候補からタイムシフト再生を開始した位置を見逃しライブ開始位置に決定する（Ｓ１８）。【選択図】図４
2011193323.tif 000002
【特許請求の範囲】
【請求項１】
放送波を受信してライブ放送を表示出力する機能とタイムシフト機能を有する表示装置であって、
タイムシフト録画を継続しつつ、前記タイムシフト録画済みのコンテンツのタイムシフト再生を開始するときに、前記タイムシフト再生を開始した時点に対応する前記タイムシフト録画がされたコンテンツの位置を記録し、前記タイムシフト再生の停止操作がなされたときに、前記ライブ放送に戻らず前記記録された位置から前記コンテンツの再生を行うタイムシフト処理制御手段を有することを特徴とする表示装置。
【請求項２】
表示装置おいて、放送波を受信してライブ放送を表示出力する機能とタイムシフト機能を実行可能な表示方法であって、
タイムシフト録画を継続しつつ、前記タイムシフト録画済みのコンテンツのタイムシフト再生を開始するタイムシフト開始工程と、
前記タイムシフト再生を開始した時点に対応する前記タイムシフト録画がなされたコンテンツの位置を記録する録画位置特定工程と、
前記タイムシフト再生の停止操作がなされたときに、前記ライブ放送のコンテンツを表示出力するか前記録画位置特定工程で記録された位置から前記コンテンツの再生を行うかを決定する表示コンテンツ決定工程と、
前記表示コンテンツ決定工程で決定された前記コンテンツの表示出力を行う表示出力工程と、
を有することを特徴とする表示方法。
【請求項３】
放送波を受信してライブ放送を表示出力する機能とタイムシフト機能を有する表示装置であって、
タイムシフト再生の指示を取得したときに、連動可能に接続されている外部装置からライブ放送のコンテンツを取得して、前記タイムシフト再生されるコンテンツと前記外部装置からのコンテンツとを２画面表示するタイムシフト制御手段を有することを特徴とする表示装置。
【請求項４】
表示装置おいて、放送波を受信してライブ放送を表示出力する機能とタイムシフト機能を実行可能な表示方法であって、
タイムシフト録画を継続しつつ、前記タイムシフト録画済みのコンテンツのタイムシフト再生の指示を受け付けるタイムシフト開始工程と、
連動可能に接続されている外部装置に対して前記タイムシフト録画しているコンテンツに対応するライブ放送のコンテンツを要求し取得する外部コンテンツ取得工程と、
前記タイムシフト再生のコンテンツと前記外部装置からのコンテンツとを２画面表示する表示工程と、
を有することを特徴とする表示方法。
【発明の詳細な説明】
【技術分野】
【０００１】
本発明は、表示装置及び表示方法に係り、特に、タイムシフト機能を有する表示装置及び表示方法に関する。
【背景技術】
【０００２】
近年の大容量ストレージの普及により、デジタルの放送の録画システムに関して、様々な機能を有した装置が提案されている。一例として、一時停止、巻き戻し、早送りなどができるタイムシフト機能がある。この機能によりライブ放送で見逃した番組を再度見ることができる。
【０００３】
タイムシフト機能には幾つかの形態があるが、一般的に、見逃した番組を再生するタイムシフトを実現するためには、現在から一定時間だけさかのぼったデータを保持して常に録画がなされている。これにより、ユーザは、過去一定時間のデータであればいつでもさかのぼって見逃した箇所を再生することができる。
【０００４】
そして、タイムシフト機能に関して、ユーザの利便性を向上させる目的で様々な技術が提案されている。例えば、テレビのチャンネルが予約録画中の放送データのチャンネルと一致したときに、タイムシフト再生を自動的に行うことのできる技術がある（特許文献１参照）。特許文献１に開示のタイムシフト再生システムでは、ＨＤＤレコーダが予約録画制御部に設定された予約録画中に、電源投入後のＴＶ放送受信装置の受信チャンネルが録画中の放送データのチャンネルと一致したときは、タイムシフト再生制御部が、再生制御部へタイムシフト再生指示信号を出力する。さらに、タイムシフト再生制御部は、表示データ選択部へＨＤＤレコーダから再生される放送データを選択するよう指示する表示データ選択信号を出力する。
【先行技術文献】
【特許文献】
【０００５】
【特許文献１】特開２００８−２７１３１４号公報
【発明の概要】
【発明が解決しようとする課題】
【０００６】
ところで、一般に、タイムシフト再生中にライブ放送に戻った場合に、タイムシフト再生開始してから終了するまでの間に放送されたライブ映像を見直そうとすると、手間が掛かるという課題があった。また、特許文献１に開示の技術では、タイムシフト再生を自動的に行うことができるものの、タイムシフト再生を行った間のライブ放送が見逃してしまうという課題があった。
【０００７】
本発明の目的は、上記課題に鑑み、タイムシフト再生中のライブ放送を見逃してしまうことを低減する技術を提供することにある。
【課題を解決するための手段】
【０００８】
本発明に係る装置は、放送波を受信してライブ放送を表示出力する機能とタイムシフト機能を有する表示装置であって、タイムシフト録画を継続しつつ、前記タイムシフト録画済みのコンテンツのタイムシフト再生を開始するときに、前記タイムシフト再生を開始した時点に対応する前記タイムシフト録画がされたコンテンツの位置を記録し、前記タイムシフト再生の停止操作がなされたときに、前記ライブ放送に戻らず前記記録された位置から前記コンテンツの再生を行うタイムシフト処理制御手段を有する。
本発明に係る方法は、表示装置おいて、放送波を受信してライブ放送を表示出力する機能とタイムシフト機能を実行可能な表示方法であって、タイムシフト録画を継続しつつ、前記タイムシフト録画済みのコンテンツのタイムシフト再生を開始するタイムシフト開始工程と、前記タイムシフト再生を開始した時点に対応する前記タイムシフト録画がなされたコンテンツの位置を記録する録画位置特定工程と、前記タイムシフト再生の停止操作がなされたときに、前記ライブ放送のコンテンツを表示出力するか前記録画位置特定工程で記録された位置から前記コンテンツの再生を行うかを決定する表示コンテンツ決定工程と、前記表示コンテンツ決定工程で決定された前記コンテンツの表示出力を行う表示出力工程と、を有する。
本発明に係る装置は、放送波を受信してライブ放送を表示出力する機能とタイムシフト機能を有する表示装置であって、タイムシフト再生の指示を取得したときに、連動可能に接続されている外部装置からライブ放送のコンテンツを取得して、前記タイムシフト再生されるコンテンツと前記外部装置からのコンテンツとを２画面表示するタイムシフト制御手段を有する。
本発明に係る方法は、表示装置おいて、放送波を受信してライブ放送を表示出力する機能とタイムシフト機能を実行可能な表示方法であって、タイムシフト録画を継続しつつ、前記タイムシフト録画済みのコンテンツのタイムシフト再生の指示を受け付けるタイムシフト開始工程と、連動可能に接続されている外部装置に対して前記タイムシフト録画しているコンテンツに対応するライブ放送のコンテンツを要求し取得する外部コンテンツ取得工程と、前記タイムシフト再生のコンテンツと前記外部装置からのコンテンツとを２画面表示する表示工程と、を有する。
【発明の効果】
【０００９】
本発明によれば、タイムシフト再生中のライブ放送を見逃してしまうことを低減する技術を提供することができる。
【図面の簡単な説明】
【００１０】
【図１】発明の第１の実施形態に係る、テレビの概略構成を示す機能ブロック図である。
【図２】発明の第１の実施形態に係る、テレビと外部レコーダが、ＨＤＭＩケーブルにより接続されて、マルチ画面表示がなされている状態を示した図である。
【図３】発明の第１の実施形態に係る、一般的に行われるタイムシフト処理について説明する画面例を示した図である。
【図４】発明の第１の実施形態に係る、見逃し低減処理のフローチャートである。
【図５】発明の第１の実施形態に係る、見逃し低減処理がなされるタイムシフト処理について説明する画面例を示した図である。
【図６】発明の第２の実施形態に係る、ＨＤＭＩ−Ｌｉｎｋ対応機器である外部レコーダを用いて見逃し低減処理がなされるタイムシフト処理を示すフローチャートである。
【図７】発明の第１の実施形態に係る、デジタル放送のライブ放送表示状態においてチャンネルコール部を表示させた画面の例を示す図である。
【図８】発明の第１の実施形態に係る、タイムシフト再生が準備完了状態でライブ放送表示状態となっている画面の例を示す図である。
【図９】発明の第１の実施形態に係る、タイムシフト再生が開始された状態の画面の例を示す図である。
【図１０】発明の第１の実施形態に係る、チャンネルコール部においてタイムシフトカウンタ部とタイムシフト操作パネルを表示させた画面の例を示す図である。
【図１１】発明の第１の実施形態に係る、ホームメニュー表示中にタイムシフト再生を行っている状態を示した画面の例を示す図である。
【発明を実施するための形態】
【００１１】
次に、本発明を実施するための形態（以下、単に「実施形態」という。）を、図面を参照して具体的に説明する。第１の実施形態では、ライブ放送の録画中にタイムシフト再生を行って見られなかった期間のコンテンツを継続して録画する。そしてタイムシフト再生を停止した際に、ユーザは、見逃したライブ放送分をタイムシフト再生するか現在のライブ放送に戻るか選ぶことができる。また、現在のライブ放送に戻った後でも、視聴していないライブ放送を見られるように、視聴できなかった期間のコンテンツを録画しておくことで、後で視聴することもできる。さらに、第２の実施形態では、ＨＤＭＩ−Ｌｉｎｋ機器でタイムシフト再生を行った場合には、マルチ画面でテレビからのライブ放送を視聴できるようにする。また、タイムシフト再生中はマルチ画面でＨＤＭＩ−Ｌｉｎｋ機器からのライブ放送も同時に視聴できるようにする。この場合、ＨＤＭＩ−Ｌｉｎｋ機器はタイムシフト再生機能がなくても前記の処理を行うことができる。このような実施形態により（１）タイムシフト再生によってライブ放送を見逃すリスクが軽減される。また、（２）テレビにデコーダが1つしか搭載されていなくても、ＨＤＭＩ−Ｌｉｎｋ機器を併用することでタイムシフトとライブ放送をマルチ画面で視聴することができる。
【００１２】
＜第１の実施形態＞
まず、本実施形態に係るテレビ１０における基本的なタイムシフト処理について説明する。図７は、デジタル放送のライブ放送表示状態においてチャンネルコール部Ｆ２０を表示させた画面Ｆ１０を示している。チャンネルコール部Ｆ２０は、画面Ｆ１０の右上に表示されており、選局動作直後やユーザの所定の操作後に、例えば４秒等の所定時間表示される。ここでは、チャンネルコール部Ｆ２０は、放送局の名称が表示されている放送局表示部Ｆ２１と、チャンネル番号が表示されるチャンネル番号部Ｆ２２と、表示されている番組の番組情報等が表示される番組情報部Ｆ２３が備わる。番組情報部Ｆ２３の内容は、後述するＴＳ（Transport Stream）に含まれるＳＩ（Service Information）を元に構成される。
【００１３】
図８は、タイムシフト再生が準備完了状態でライブ放送表示状態となっている画面Ｆ１１の例である。タイムシフトモードにおいて、タイムシフト録画状態となるとチャンネルコール部Ｆ２０の放送局表示部Ｆ２１の下側に「TIME SHIFT READY」と表記されるタイムシフト状態アイコンＦ３１が表示される。その隣には、現在の表示状態として「ライブ放送」を表示中である旨を示す「LIVE」と表記されたライブ状態アイコンＦ３２が表示される。また、画面Ｆ１１の左下には、タイムシフトカウンタ部Ｆ４０が表示される。これは、例えばユーザが、「カウンタ表示設定ＯＮ」を選択している場合に表示され、スポット表示時には隠れるようになっている。タイムシフトカウンタ部Ｆ４０は、メモリの使用量（使用率）をバーの長さで示す使用状況表示バーＦ４１と、再生位置を示すつまみ（アイコン）である再生位置表示部Ｆ４２とを備える。
【００１４】
図９は、図８の状態からタイムシフト再生が開始された状態の画面Ｆ１２の例である。ここでは、図８のライブ状態アイコンＦ３２の代わりにタイムシフト再生アイコン部Ｆ３３が表示される。また、通常は、タイムシフト再生時においては、タイムシフト再生している番組の番組情報の取得は出来ないため、図示のように、再生データから判別可能な情報に関して表示される。ただし、後述するようにタイムシフト録画中に番組情報を別途記録する処理がなされると、図８の番組情報部Ｆ２３と同程度の内容がタイムシフト再生中であっても図９の番組情報部Ｆ２３に表示が可能となる。なお、タイムシフト再生ではあるがタイムシフト録画中でない場合は、タイムシフト状態アイコンＦ３１は表示されない。また、タイムシフト状態アイコンＦ３１は、ユーザの操作内容に応じてアイコン形状が変化する。さらに、再生位置表示部Ｆ４２は、タイムシフト状態アイコンＦ３１と同様に、ユーザの操作内容に応じて表示形状等が変更されてもよい。再生中であればその旨を表す操作ボタンに付されているアイコンが表示され、一時停止中であれば、そのアイコンが表示される。
【００１５】
図１０は、チャンネルコール部Ｆ２０において番組情報部Ｆ２３の代わりにタイムシフトカウンタ部Ｆ４５とタイムシフト操作パネルＦ５０を表示させた画面Ｆ１３の例である。タイムシフトカウンタ部Ｆ４５は、図８や図９のタイムシフトカウンタ部Ｆ４０と同様であるが、ここでは、メモリ限界に達した（バーが右端に到達した）旨を示す「ＦＵＬＬ」が表示されている。タイムシフト処理部５０では、一般的な再生操作ボタンに相当するアイコンと共に、再生位置を所定時間だけ前後にスキップする「１０秒戻し」ボタンや「３０秒送り」ボタンが設けられている。
【００１６】
図１１は、ホームメニュー（設定画面）表示中に図９と同様のタイムシフト再生を行っている状態を示した画面Ｆ１４の例である。この画面Ｆ１４では、画面右側に各種設定用の設定表示領域Ｆ６０があり、画面左側にチャンネルコール部Ｆ２０とタイムシフトカウンタ部Ｆ４０が表示される。なお、ホームメニュー（設定画面）表示中には、図８と同様にタイムシフト再生が準備完了状態でライブ放送表示状態でも表示可能である。また、画面Ｆ１４の下段の領域Ｆ６１には、タイムシフト再生中であってもライブ放送の番組情報が表示される。ただし、タイムシフト再生中のコンテンツに関する番組情報が利用可能であれば、その番組情報が表示されてもよい。
【００１７】
図１は、本実施形態に係るテレビ１０の概略構成を示す機能ブロック図であり、このテレビ１０は、録画機能を有している。また、図２は、テレビ１０と外部レコーダ７０が、ＨＤＭＩケーブル８０により接続されている状態を示している。
【００１８】
図１に示すように、テレビ１０は、主制御部２０と、ソース部３０と、セレクタ１４と、コンテンツ出力処理部１６と、出力部１８と、操作取得部２６と、タイムシフト処理部５０とを備えている。
【００１９】
主制御部２０は、テレビ１０の各構成要素を統括的に制御する。この主制御部２０やタイムシフト処理部５０等の各構成要素は、例えば、ＣＰＵ（中央演算装置）等のＬＳＩ（大規模集積回路）やメモリで構成され、そのメモリに記憶されたプログラムらが実行されることで、その機能が実現される。操作取得部２６は、リモコン等の操作手段２７によるテレビ１０への操作を受け付けるユーザ・インタフェイスである。
【００２０】
ソース部３０は、コンテンツのソース機能として、チューナ３２と、内蔵レコーダ３４と、外部機器入出力部３６とを備える。チューナ３２は、アンテナに接続されており、例えば地上デジタル放送を受信し及び復調し、ＴＳを出力する。内蔵レコーダ３４は、例えば、ＢＤ（Blue-ray Disc）ドライブ、ＨＤＤ（Hard disk drive）、ＳＳＤ（Solid State Drive）、フラッシュメモリ等を記録ディバイスとして利用した装置である。この内蔵レコーダ３４は、チューナ３２や外部レコーダ７０から取得したコンテンツを記録したり、また、記録されているコンテンツを再生し、セレクタ１４を介してコンテンツ出力処理部１６に出力する。また、内蔵レコーダ３４は、タイムシフト再生のための記録再生に使用される。なお、内蔵レコーダ３４は、コンテンツを録画する場合に、録画データとして録画時刻をコンテンツと共に記録する。
【００２１】
外部機器入出力部３６と外部レコーダ７０は、ＨＤＭＩケーブル８０によって双方向通信可能に接続されている。ここで、ＨＤＭＩインタフェイスは、映像信号及び音声信号（いずれもデジタル信号）を伝送するＴＭＤＳラインと、ＣＥＣ規格に準拠したＣＥＣラインを含んでいる。なお、ＴＭＤＳラインは、複数本の信号ラインにより構成され、ＴＭＤＳライン及びＣＥＣラインは、１本のＨＤＭＩケーブル８０として構成されている。
【００２２】
本実施形態では、ＨＤＭＩ−ＣＥＣ（HDMI-Consumer Electronics Control；以下、単に「ＣＥＣ」）機能を用いる。ＣＥＣ機能は、ＨＤＭＩ−Ｌｉｎｋ機能とも呼ばれ、ＨＤＭＩ規格により提供されているリンク機能であり、このＣＥＣ機能を用いることで、ＨＤＭＩインタフェイスで接続される機器同士が相互に連携することができ、相互連携する機器が市場に投入されている。
【００２３】
ここで、ＨＤＭＩインタフェイスについて簡単に説明する。ＨＤＭＩインタフェイスは、例えばテレビと録画再生装置との間で信号伝送を行う手段の１つであり、ＨＤＭＩ規格に準拠した信号伝送手段である。このＨＤＭＩインタフェイスは、外観上１本にまとめられたＨＤＭＩケーブルによってデジタルの映像信号及び音声信号を同時に伝送でき、劣化のない信号伝送を実現している。なお、ＨＤＭＩインタフェイスにおいて、映像信号及び音声信号を含む信号は、ＴＭＤＳ（Transition Minimized Differential Signaling）信号伝送ラインを通じて高速伝送される。また、ＨＤＭＩ規格は、さらにその中でＣＥＣ規格が規定されており、ＨＤＭＩインタフェイスは、そのＣＥＣ規格に準拠した信号伝送ライン（以下、「ＣＥＣライン」という）を内包した信号伝送手段として構成される。このＣＥＣラインを内包するＨＤＭＩインタフェイスは、ＴＭＤＳラインを通じた映像信号及び音声信号の伝送に加え、ＣＥＣラインを通じてその他の情報（制御情報など）を伝送することが可能である。なお、ＨＤＭＩインタフェイスは、ＴＭＤＳラインを通じた映像信号及び音声信号の伝送は一方向にのみ可能であるが、ＣＥＣラインを通じた情報伝送は双方向で可能である。
【００２４】
外部機器入出力部３６は、さらに、メモリカードやＵＳＢメモリ等の外部メモリ７５と接続する入出力インタフェイスとしても機能する。外部メモリ７５は、タイムシフト機能の一部として機能させることもできる。
【００２５】
セレクタ１４は、ソース部３０からユーザの指定等のソースを選択し、そのソースのコンテンツをコンテンツ出力処理部１６に出力する。また、内蔵レコーダ３４に記録する場合には、コンテンツ出力処理部１６から記録するコンテンツを内蔵レコーダ３４に出力する。外部レコーダ７０とテレビ１０を接続する場合には、外部機器入出力部３６を対象ソースとして選択する。
【００２６】
コンテンツ出力処理部１６は、チューナ３２から取得したＴＳを復号して画像データと音声データを抽出し、それらを同期させて出力部１８に出力する。また、コンテンツ出力処理部１６は、画像データを出力するときに、必要に応じてデータ放送の内容や、選択されているチャンネル番号、時刻などの表示を番組の画像データに追加したり加工したりする。さらに、タイムシフトモードにおいて、図２に示すように、コンテンツ出力処理部１６は、２画面表示処理が可能であって、一つの画面（小さいサブ画面Ｆ２）には後述のタイムシフト外部機器制御部６０の制御処理に基づいて、外部レコーダ７０からのコンテンツが表示可能となっている。なお、外部レコーダ７０を利用した２画面表示処理については第２の実施形態で説明する。
【００２７】
ＴＳ中には、同期処理の為のタイムスタンプ（ＰＴＳ）及びチャンネルや番組を特定するＩＤ（以下、単に「番組ＩＤ」という）が含まれている。例えば、イベントＩＤは、番組を特定するＩＤとしてＥＩＴ（Event Information Table）に記載されている。また、チャンネルを特定するＩＤとして、サービスＩＤがある。そして、コンテンツ処理部１６は、ＥＩＴやＳＤＴ（Service Description Table）等の番組やサービスの情報が記述されたデータが含まれるＳＩをセクションフィルタ（図示せず）によって抽出する。抽出したＳＩは、ＥＰＧ（Electric Program Guide）やデータ放送表示等に用いられる。また、タイムスタンプは、後述するタイムシフト処理において再生位置等の特定に用いられる。
【００２８】
そしてこのＳＩに含まれる番組やサービスの情報が、本実施形態においてタイムシフトの頭出し機能に用いられる番組情報となっている。したがって、タイムシフトの頭出し機能を実現するために、コンテンツ処理部１６は、後述するタイムシフト処理部５０でコンテンツが記録されている場合に、そのコンテンツに対応するＳＩをタイムシフト処理部５０に出力する。
【００２９】
また、出力部１８は、画像データを表示する表示部や音声データを出力するスピーカを備える。なお、以降の説明では、コンテンツの出力として映像について例示するが、当然に音声についても同様の処理がなされる。
【００３０】
タイムシフト処理部５０は、フラッシュメモリ等のタイムシフト用記憶部５２を備えており、一般的なタイムシフト処理を実現する機能を有すると共に、本実施形態において特徴的な機能を実現する構成として、タイムシフト外部機器制御部６０を備える。
【００３１】
タイムシフト外部機器制御部６０は、必要に応じて以下に説明する処理を行い、テレビ１０でタイムシフト再生中に、外部レコーダ７０からライブ放送を取得するように外部レコーダ７０を制御する。その場合、図２に示すように、タイムシフト再生画面はメイン画面Ｆ１に表示され、外部レコーダ７０のライブ放送はサブ画面Ｆ２に表示される。
【００３２】
ここで、チューナ３２が受信しているデジタル放送のコンテンツのタイムシフトに関してＴＳの処理について例示する。タイムシフト処理部５０は、セレクタ１４を介して、チューナ３２から、画像データや音声データが含まれているＴＳを取得する。そして、タイムシフト処理部５０は、ＴＳのＰＩＤをフィルタリング処理し、タイムシフト対象となる所望のチャンネルのコンテンツをタイムシフト用記憶部５２に記録する。なお、外部メモリ７５に記録される場合は、同様に、ＴＳのＰＩＤをフィルタリング処理後のデータが、コンテンツ処理部１６から、セレクタ１４及び内蔵レコーダ３４を介して外部メモリ７５に送られる。
【００３３】
以上の構成によるタイムシフト処理について、見逃し低減処理に着目して説明する。先ず、図３に基づき、一般的に行われるタイムシフト処理について説明する。図示の左側にライブ放送の画面例を時系列に示し、右側にタイムシフト再生の画面を示す。ここでは、第１〜７のコンテンツがライブ放送で表示されている。ライブ放送と並行して、タイムシフト録画がなされている。そして、第２のコンテンツが終了したときに、ユーザが操作手段２７や操作取得部２６等を操作しタイムシフト再生を開始すると、タイムシフト用記憶部５２に記録されている第１のコンテンツが出力部１８に表示される。そして、ユーザの操作によって、タイムシフト再生が停止され、第４のコンテンツのライブ放送に戻る。このとき、ユーザは、タイムシフト再生中のライブ放送である第３のコンテンツを見逃すことになってします。
【００３４】
そこで、図４及び図５に示す処理によってタイムシフト再生中のライブ放送（コンテンツ）の見逃しを回避可能にする。図４に処理の手順を示すフローチャートを示し、図５に時系列に示した画面例を示す。
【００３５】
ライブ放送をタイムシフト録画中に、タイムシフト再生を開始すると（Ｓ１１）、タイムシフト処理部５０は、タイムシフト再生を開始したライブ放送位置を見逃しライブ開始位置候補として保存する（Ｓ１２）。ライブ放送位置や見逃しライブ開始位置等は、タイムスタンプを利用することで特定されるようになっている。図５では、ライブ放送で第２のコンテンツが終了し第３のコンテンツが始まるタイミングで、タイムシフト再生が開始している。そして、ライブ放送で第３のコンテンツが放送されている期間に、出力部１８ではタイムシフト用記憶部５２に記録されていた第１のコンテンツがタイムシフト再生される。
【００３６】
そして、タイムシフト再生が停止されると（Ｓ１３）、ユーザは操作手段２７等を操作して、ライブ放送に戻るか見逃しライブ開始位置候補からタイムシフト再生をするかを選択する（Ｓ１４）。
【００３７】
タイムシフト再生が選択されると（Ｓ１４のＹ）、タイムシフト処理部５０は、見逃しライブ開始位置候補からタイムシフト再生（シーク再生）を開始する（Ｓ１６）。ここでは、第４のコンテンツがライブ放送されている期間において、タイムシフト用記憶部５２に記録されている第３のコンテンツがタイムシフト再生される。そして、見逃しライブ開始位置候補からの再生を停止してライブ放送（第５のコンテンツ）に戻ると（Ｓ１７）、タイムシフト処理部５０は、見逃しライブ開始位置候補からタイムシフト再生（シーク再生）を開始した位置を、見逃しライブ開始位置に決定する（Ｓ１８）。つまり、第４のコンテンツの開始時点が見逃しライブ開始位置になる。ただし、タイムシフト再生がライブ放送に追いついた場合は、見逃しライブ開始位置はクリアされる。
【００３８】
一方で、Ｓ１４の処理でライブ放送が選択された場合（Ｓ１４のＮ）の処理を第５〜第７のコンテンツの表示によって説明する。ここでは、第５のコンテンツが終了タイミングが第４のコンテンツのタイムシフト再生開始となっている（Ｓ１１）。このとき、第６のコンテンツのライブ放送で放送されているとともにタイムシフト録画されている。そして、タイムシフト処理部５０はタイムシフト再生を開始したライブ放送位置、つまり第６のコンテンツの開始位置を見逃しライブ開始位置候補として保存する（Ｓ１２）。そして、タイムシフト再生が停止され（Ｓ１３）、次に表示するコンテンツとしてライブ放送が選択された場合（Ｓ１４のＮ）、タイムシフト処理部５０は、ライブ放送に表示を移行させるとともに、タイムシフト処理部５０は見逃しライブ開始位置候補を見逃しライブ開始位置に決定し保存する（Ｓ１５）。つまり、第６のコンテンツの開始位置が見逃しライブ開始位置になる。ただし、タイムシフト再生がライブ放送に追いついた場合は、見逃しライブ開始位置はクリアされる。このような処理によって、ユーザは、見逃しライブ開始位置から再生することができ、見逃したライブ放送を容易にサーチして視聴することができる。
【００３９】
＜第２の実施形態＞
本実施形態の処理を図１及び図２の構成と図６のフローチャートを用いて説明する。なお、本実施形態の構成は第１の実施形態で示したテレビ１０の構成で実現できる。
【００４０】
ユーザによって操作手段２７に設けられたタイムシフト再生ボタンが押下されたことをタイムシフト処理部５０が検知すると（Ｓ２１）、タイムシフト外部機器制御部６０は、ＨＤＭＩ−Ｌｉｎｋ対応機器である外部レコーダ７０の状態を確認する（Ｓ２２）。外部レコーダ７０が、テレビ１０において視聴中の番組を選局していない場合（Ｓ２２のａ）、タイムシフト外部機器制御部６０はＣＥＣ機能を用いて外部レコーダ７０をテレビ１０で視聴中の番組に選局し（Ｓ２３）、タイムシフト処理部５０は図２に示すようにマルチ画面を表示し（Ｓ２４）、外部レコーダ７０からのライブ放送をサブ画面Ｆ２に表示させタイムシフト再生を開始しそのコンテンツをメイン画面Ｆ１に表示させる（Ｓ２５）。
【００４１】
Ｓ２２の判断処理において、外部レコーダ７０が、テレビ１０において視聴中の番組を選局していると判断した場合（Ｓ２２のｂ）、タイムシフト処理部５０は、マルチ画面を表示し（Ｓ２４）、外部レコーダ７０からのライブ放送をサブ画面Ｆ２に表示させ、タイムシフト再生のコンテンツをメイン画面Ｆ１に表示させる（Ｓ２５）。なお、Ｓ２２の判断処理において、外部レコーダ７０が接続されていないと判断した場合（Ｓ２２のｃ）、シングル画面（メイン画面Ｆ１のみ）で、テレビ１０側のタイムシフト再生の映像のみが出力される。
【００４２】
なお、外部レコーダ７０でタイムシフト再生を行った場合には、マルチ画面でテレビ１０のライブ放送をサブ画面Ｆ２で視聴できるようにしてもよい。この様な処理を行うことで、テレビ１０のコンテンツ処理部１６にデコーダが１つしか搭載されていなくても、ＨＤＭＩ−Ｌｉｎｋ機能を有する外部レコーダ７０を併用することで、ユーザは、タイムシフト再生とライブ放送とをマルチ画面で視聴することができる。
【００４３】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。例えば、上述の実施形態のタイムシフト処理を行うか従来から行われているタイムシフト処理を行うかをユーザが設定可能としてもよい。
【符号の説明】
【００４４】
１０  テレビ
１４  セレクタ
１６  コンテンツ出力処理部
１８  出力部
２０  主制御部
２６  操作取得部
２７  操作手段
３０  ソース部
３２  チューナ
３４  内蔵レコーダ
３６  外部機器入出力部
５０  タイムシフト処理部
５２  タイムシフト用記憶部
６０  タイムシフト外部機器制御部
７０  外部レコーダ
７５  外部メモリ
【図１】
2011193323.tif 000003
【図２】
2011193323.tif 000004
【図３】
2011193323.tif 000005
【図４】
2011193323.tif 000006
【図５】
2011193323.tif 000007
【図６】
2011193323.tif 000008
【図７】
2011193323.tif 000009
【図８】
2011193323.tif 000010
【図９】
2011193323.tif 000011
【図１０】
2011193323.tif 000012
【図１１】
2011193323.tif 000013